(57)【要約】【課題】スイッチ等に好適に用いることができる製造コストを低減した静電センサパターンを有する発光部材及びその発光部材を有する静電センサ型の面照明付スイッチを提供する。【解決手段】本発明の発光部材３０は、静電センサパターンＰを有する発光部材３０であって、光源３１Ａを有する面発光体３１と、面発光体３１に貼り付けられ、静電センサパターンＰが形成されたセンサ基板３３と、を備え、センサ基板３３は、静電センサパターンＰが形成された部位が面発光体３１の裏面側に位置するように配置されている。【選択図】図４
2018120838.tif 000002
【特許請求の範囲】
【請求項１】
静電センサパターンを有する発光部材であって、
光源を有する面発光体と、
前記面発光体に貼り付けられ、静電センサパターンが形成されたセンサ基板と、を備え、
前記センサ基板は、前記静電センサパターンが形成された部位が前記面発光体の裏面側に位置するように配置されていることを特徴とする発光部材。
【請求項２】
前記センサ基板には、前記光源に電力を供給する給電パターンが一部に形成されており、
前記光源がフレキシブル配線基板で前記給電パターンに電気的に接続されていることを特徴とする請求項１に記載の発光部材。
【請求項３】
前記センサ基板に取り付けられ、前記静電センサパターンに電気的に接続された静電センサＩＣを備えていることを特徴とする請求項１又は請求項２に記載の発光部材。
【請求項４】
前記センサ基板は、前記光源に電力を供給する給電パターンが一部に形成されたフレキシブル基板であり、
前記光源が前記給電パターンに直接接続されていることを特徴とする請求項１に記載の発光部材。
【請求項５】
前記センサ基板に取り付けられ、前記静電センサパターンに電気的に接続された静電センサＩＣを備えており、
前記センサ基板は、外側に延在するように形成された前記静電センサＩＣを配置する配置部を有し、
前記静電センサＩＣは、前記配置部の前記面発光体側に向く面上に取り付けられており、
前記配置部は、前記センサ基板の前記面発光体を向く面の反対側の位置に前記静電センサＩＣが位置するように折り返されていることを特徴とする請求項４に記載の発光部材。
【請求項６】
静電センサ型の面照明付スイッチであって、
請求項１から請求項５のいずれか１項に記載の発光部材と、
前記発光部材から離間して前記面発光体の裏面側に配置され、前記センサ基板と電気的に接続された制御基板と、
前記制御基板に取り付けられた制御ＩＣと、
前記制御基板の前記発光部材側の面に取り付けられた無線アンテナと、
前記制御基板の前記発光部材側の面に取り付けられた人感センサと、を備え、
前記制御基板は、前記発光部材側から見た正面視で、一部が前記発光部材よりも外側に位置し、
前記人感センサは、前記正面視で前記発光部材よりも外側に位置する前記制御基板上に配置されており、
前記無線アンテナは、前記無線アンテナのアンテナ部分が前記正面視で前記発光部材よりも外側に位置する前記制御基板上の位置に配置されているとともに、前記無線アンテナの一部が前記正面視で前記発光部材と重なる前記制御基板上の位置に配置されており、
前記静電センサパターンがスイッチ操作のために指が近づけられる位置に対応した前記センサ基板上の位置に形成されていることを特徴とする面照明付スイッチ。
【請求項７】
静電センサ型の面照明付スイッチであって、
請求項１、請求項２又は請求項４のいずれか１項に記載の発光部材と、
前記発光部材から離間して前記面発光体の裏面側に配置され、前記センサ基板と電気的に接続された制御基板と、
前記制御基板に取り付けられた制御ＩＣと、
前記制御基板に取り付けられた静電センサＩＣと、
前記制御基板の前記発光部材側の面に取り付けられた無線アンテナと、
前記制御基板の前記発光部材側の面に取り付けられた人感センサと、を備え、
前記制御基板は、前記発光部材側から見た正面視で、一部が前記発光部材よりも外側に位置し、
前記人感センサは、前記正面視で前記発光部材よりも外側に位置する前記制御基板上に配置されており、
前記無線アンテナは、前記無線アンテナのアンテナ部分が前記正面視で前記発光部材よりも外側に位置する前記制御基板上の位置に配置されているとともに、前記無線アンテナの一部が前記正面視で前記発光部材と重なる前記制御基板上の位置に配置されており、
前記静電センサパターンがスイッチ操作のために指が近づけられる位置に対応した前記センサ基板上の位置に形成されていることを特徴とする面照明付スイッチ。
【請求項８】
前記発光部材の表面側に配置され、前記静電センサパターンに対応する位置に設けられた操作位置を示す表示部を有するトップパネルを備え、
前記発光部材から放射される光が、少なくとも前記表示部を透過することを特徴とする請求項６又は請求項７に記載の面照明付スイッチ。
【請求項９】
前記トップパネルは、
前記表示部が印刷されたフィルムと、
前記フィルムが貼り付けられたプレートと、を備えていることを特徴とする請求項８に記載の面照明付スイッチ。
【発明の詳細な説明】
【技術分野】
【０００１】
本発明は静電センサパターンを有する発光部材及びその発光部材を有する静電センサ型の面照明付スイッチに関する。
【背景技術】
【０００２】
特許文献１には、タッチパネル機能を有する表示装置が開示されており、このような表示装置では、バックライトを備えているため、夜間等の暗いところでも操作性がよい。
【先行技術文献】
【特許文献】
【０００３】
【特許文献１】国際公開第２０１２／１２４６２１号
【発明の概要】
【発明が解決しようとする課題】
【０００４】
しかしながら、上記のような表示装置は構成が複雑であり、製造コストが高いため、例えば、照明器具等の家電製品のＯＮ／ＯＦＦといった操作のために部屋等に設置されるスイッチ等に利用するには高価であるという問題がある。
【０００５】
本発明は、上記事情に鑑みてなされたものであり、スイッチ等に好適に用いることができる製造コストを低減した静電センサパターンを有する発光部材及びその発光部材を有する静電センサ型の面照明付スイッチを提供することを目的とする。
【課題を解決するための手段】
【０００６】
本発明は、上記目的を達成するために、以下の構成によって把握される。
（１）本発明の発光部材は、静電センサパターンを有する発光部材であって、光源を有する面発光体と、前記面発光体に貼り付けられ、静電センサパターンが形成されたセンサ基板と、を備え、前記センサ基板は、前記静電センサパターンが形成された部位が前記面発光体の裏面側に位置するように配置されている。
【０００７】
（２）上記（１）の構成において、前記センサ基板には、前記光源に電力を供給する給電パターンが一部に形成されており、前記光源がフレキシブル配線基板で前記給電パターンに電気的に接続されている。
【０００８】
（３）上記（１）又は（２）の構成において、前記センサ基板に取り付けられ、前記静電センサパターンに電気的に接続された静電センサＩＣを備えている。
【０００９】
（４）上記（１）の構成において、前記センサ基板は、前記光源に電力を供給する給電パターンが一部に形成されたフレキシブル基板であり、前記光源が前記給電パターンに直接接続されている。
【００１０】
（５）上記（４）の構成において、前記センサ基板に取り付けられ、前記静電センサパターンに電気的に接続された静電センサＩＣを備えており、前記センサ基板は、外側に延在するように形成された前記静電センサＩＣを配置する配置部を有し、前記静電センサＩＣは、前記配置部の前記面発光体側に向く面上に取り付けられており、前記配置部は、前記センサ基板の前記面発光体を向く面の反対側の位置に前記静電センサＩＣが位置するように折り返されている。
【００１１】
（６）本発明のスイッチは、静電センサ型の面照明付スイッチであって、上記（１）から（５）のいずれか１つの構成を有する発光部材と、前記発光部材から離間して前記面発光体の裏面側に配置され、前記センサ基板と電気的に接続された制御基板と、前記制御基板に取り付けられた制御ＩＣと、前記制御基板の前記発光部材側の面に取り付けられた無線アンテナと、前記制御基板の前記発光部材側の面に取り付けられた人感センサと、を備え、前記制御基板は、前記発光部材側から見た正面視で、一部が前記発光部材よりも外側に位置し、前記人感センサは、前記正面視で前記発光部材よりも外側に位置する前記制御基板上に配置されており、前記無線アンテナは、前記無線アンテナのアンテナ部分が前記正面視で前記発光部材よりも外側に位置する前記制御基板上の位置に配置されているとともに、前記無線アンテナの一部が前記正面視で前記発光部材と重なる前記制御基板上の位置に配置されており、前記静電センサパターンがスイッチ操作のために指が近づけられる位置に対応した前記センサ基板上の位置に形成されている。
【００１２】
（７）本発明のスイッチは、静電センサ型の面照明付スイッチであって、上記（１）、（２）又は（４）のいずれか１つの構成を有する発光部材と、前記発光部材から離間して前記面発光体の裏面側に配置され、前記センサ基板と電気的に接続された制御基板と、前記制御基板に取り付けられた制御ＩＣと、前記制御基板に取り付けられた静電センサＩＣと、前記制御基板の前記発光部材側の面に取り付けられた無線アンテナと、前記制御基板の前記発光部材側の面に取り付けられた人感センサと、を備え、前記制御基板は、前記発光部材側から見た正面視で、一部が前記発光部材よりも外側に位置し、前記人感センサは、前記正面視で前記発光部材よりも外側に位置する前記制御基板上に配置されており、前記無線アンテナは、前記無線アンテナのアンテナ部分が前記正面視で前記発光部材よりも外側に位置する前記制御基板上の位置に配置されているとともに、前記無線アンテナの一部が前記正面視で前記発光部材と重なる前記制御基板上の位置に配置されており、前記静電センサパターンがスイッチ操作のために指が近づけられる位置に対応した前記センサ基板上の位置に形成されている。
【００１３】
（８）上記（６）又は（７）の構成において、前記発光部材の表面側に配置され、前記静電センサパターンに対応する位置に設けられた操作位置を示す表示部を有するトップパネルを備え、前記発光部材から放射される光が、少なくとも前記表示部を透過する。
【００１４】
（９）上記（８）の構成において、前記トップパネルは、前記表示部が印刷されたフィルムと、前記フィルムが貼り付けられたプレートと、を備えている。
【発明の効果】
【００１５】
本発明によれば、スイッチ等に好適に用いることができる製造コストを低減した静電センサパターンを有する発光部材及びその発光部材を有する静電センサ型の面照明付スイッチを提供することができる。
【図面の簡単な説明】
【００１６】
【図１】本発明に係る第１実施形態の静電センサ型の面照明付スイッチの正面図である。
【図２】本発明に係る第１実施形態の面照明付スイッチの本体部を示す正面図である。
【図３】図２のＡ−Ａ線断面図である。
【図４】図２のＢ−Ｂ線断面図である。
【図５】本発明に係る第１実施形態の面発光体を示す分解斜視図である。
【図６】本発明に係る第１実施形態のセンサ基板の１つの静電センサパターンの部分を示した拡大断面図である。
【図７】本発明に係る第１実施形態の本体部の変形例を示す断面図である。
【図８】本発明に係る第２実施形態の主にセンサ基板の表面側を見た正面図である。
【図９】本発明に係る第２実施形態の本体部の断面図である。
【発明を実施するための形態】
【００１７】
以下、本発明を実施するための形態(以下、「実施形態」という)を、添付図面に基づいて詳細に説明する。
なお、実施形態の説明の全体を通して同じ要素には同じ番号を付している。
【００１８】
（第１実施形態）
以下、本発明に係る第１実施形態の静電センサ型の面照明付スイッチ１について説明するとともに、その面照明付スイッチ１の説明に併せて、本発明に係る第１実施形態の静電センサパターンを有する発光部材３０についても説明を行う。
【００１９】
図１は本発明に係る第１実施形態の静電センサ型の面照明付スイッチ１を示す正面図であり、図２は第１実施形態の面照明付スイッチ１の本体部２０を示す正面図である。
なお、図１及び図２は、ユーザがスイッチ操作を行うために指Ｆを近づける側を見た正面図になっており、以下の説明において、この指Ｆを近づける側に位置する面を「表面」と記載し、その表面の反対側に位置する面を「裏面」と記載する。
【００２０】
図１及び図２に示すように、面照明付スイッチ１は、最も表面側に配置されるトップパネル１０（図１参照）と、そのトップパネル１０の裏面側に配置される本体部２０（図２参照）と、を備えている。
【００２１】
（トップパネル１０）
図１に示すように、トップパネル１０は、各スイッチ操作を行うための位置がわかるように、図形や文字等で操作位置を示す表示部Ｍを有している。
なお、この表示部Ｍは、面照明付スイッチ１の状態のときに、後述するセンサ基板３３に形成されている静電センサパターンＰ（図２参照）に対応する位置に設けられている。
【００２２】
したがって、ユーザは、表示部Ｍの表示を見ることで、どこの位置に指Ｆを近づければ、スイッチのＯＮ／ＯＦＦを行う機器（例えば、天井照明や玄関口照明等）のＯＮ／ＯＦＦの操作が行えるのかを視認することができるようになっている。
【００２３】
具体的には、トップパネル１０は、最も表面側に位置する透明又は半透明のプレートと、そのプレートの裏面に貼り付けられたフィルムと、を備えており、そのフィルムに表示部Ｍとなる図形や文字等の印刷が行われている。
そして、フィルムは、少なくとも図形や文字等が印刷される所定のエリアが光を透過するようになっている。
【００２４】
例えば、図形や文字等が印刷される所定のエリアについては、ハーフミラーの状態になっている。
このため、夜間等の周りが暗いときに、本体部２０側から光が放射されると、その形成された図形や文字等が浮かび上がるように表示されるようになっている。
【００２５】
一方、昼間等の周りが明るいときには、ハーフミラーによって光が反射されるため、描かれた図形や文字等がそのままユーザに視認される状態となり、フィルムよりも裏面側が透けて見えることがないため、見栄えが悪くなることがない。
【００２６】
（本体部２０）
図３は図２のＡ−Ａ線断面図であり、図４はＢ−Ｂ線断面図であり、図５は面発光体３１を示す分解斜視図である。
図３及び図４に示すように、本体部２０は、筐体２１と、静電センサパターンＰ（図２参照）を有する発光部材３０と、主制御部４０と、を備えている。
【００２７】
筐体２１は、周壁となる枠部２１ａと、その枠部２１ａの内側に形成された仕切部２１ｂと、仕切部２１ｂを貫通して形成された接続部２１ｃと、を備えている。
なお、接続部２１ｃは、後述するセンサ基板３３と制御基板４１を電気的に接続する部分であり、本実施形態では、仕切部２１ｂにインサート成形等でコネクタ型の接続部２１ｃを一体に形成したものとしているが、接続部２１ｃはコネクタ型であることに限定されるものではない。
例えば、接続部２１ｃは、仕切部２１ｂの表裏を貫通する接続開口と、その接続開口を通じて後述するセンサ基板３３と制御基板４１を電気的に接続する電気配線と、で構成されていてもよい。
【００２８】
そして、枠部２１ａは、四隅のそれぞれに表面側から裏面側まで貫通するように形成されたネジを通すネジ孔２２が設けられている。
【００２９】
したがって、例えば、部屋の壁に開口を設け、その開口の奥に設置されている既存のスイッチボックスに対して枠部２１ａをネジで固定することで、本体部２０が部屋の壁に設置できるようになっている。
【００３０】
なお、トップパネル１０は、プレートの裏面側に枠部２１ａの外面に係合する係合部が設けられている一方、外形自体は、この壁に設けられた開口よりも一回り大きい外形になっており、壁に設けられた開口を覆い隠すように、筐体２１に取り付けられるようになっている。
【００３１】
また、仕切部２１ｂは、枠部２１ａの表裏方向の高さの中間位置（本例では、ほぼ中央の位置）に位置するように形成されている。
このため、筐体２１は、発光部材３０が配置される表面側の表面側凹部２５と、主制御部４０が配置される裏面側の裏面側凹部２６と、を備えるものになっている。
【００３２】
さらに、仕切部２１ｂは、図２に示すように、発光部材３０が配置されていない一端側の位置に、幅の短い枠部２１ａ（図３及び図４参照）の部分に沿って設けられ、表裏を貫通するように形成された第１開口部２３及び第２開口部２４を備えている。
【００３３】
（発光部材３０）
発光部材３０は、図３及び図４に示すように、面発光体３１と、面発光体３１に貼り付けられ、静電センサパターンＰ（図２参照）が形成されたセンサ基板３３と、を備えている。
図３、図４及び図５に示すように、面発光体３１は、光源３１Ａ（例えば、ＬＥＤ）と、面発光層３２と、光源３１Ａ及び面発光層３２を収容する表面側に開口したケース３１Ｂと、を備えている。
なお、ケース３１Ｂは、表面側に開口した箱状のものに限定される必要はなく、フレーム状のものであってもよい。
また、面発光体３１は、ケース３１Ｂによって面発光層３２と光源３１Ａが一体にされている必要はなく、面発光体３１は、面発光層３２が発光するように面発光層３２に対して光源３１Ａが配置されるように位置決めされる構成を備えていればよい。
【００３４】
面発光層３２は、光源３１Ａからの光が入射する導光板３２Ｂと、導光板３２Ｂの裏面側に配置され、導光板３２Ｂ内を導波する光を導光板３２Ｂの表面から効率よく放射させるための反射部材３２Ａ（例えば、反射シート又は反射プレート）と、導光板３２Ｂの表面から光が均一に放射されるように導光板３２Ｂの表面側に配置される光拡散部材（拡散シート３２Ｃ及びプリズムシート３２Ｄ）と、を備えている。
【００３５】
本実施形態の光拡散部材は、導光板３２Ｂの表面上に配置される拡散シート３２Ｃと、拡散シート３２Ｃの表面上に配置されるプリズムシート３２Ｄと、を備えたものとしているが、光拡散部材は、２枚のシートを用いたものに限定される必要はない。
なお、図５に示すように、光源３１Ａは、発光面が導光板３２Ｂの他端側の側面に対向するように配置され、面発光体３１の表面側を均一に面発光できるように、導光板３２Ｂの他端側の側面に沿って複数設けられている。
【００３６】
本実施形態では、静電センサパターンＰが形成された部位が面発光体３１の裏面側に位置するようにセンサ基板３３が配置され、面発光体３１（より具体的にはケース３１Ｂ）の裏面とセンサ基板３３の表面３３ａの間を両面テープで貼り合わすようにしている。
【００３７】
ただし、面発光体３１へのセンサ基板３３の貼り付けは、両面テープで行うことに限定される必要はなく、接着剤等を用いて貼り付けるようにしてもよい。
また、静電センサパターンＰが形成された部位が面発光体３１の裏面側に位置するようになっていれば、センサ基板３３を面発光体３１に貼り付ける箇所自体は、面発光体３１の側面であってもよい。
【００３８】
さらに、発光部材３０は、センサ基板３３の他端側の一部に形成された光源３１Ａに電力を供給する給電パターンに光源３１Ａを電気的に接続するフレキシブル配線基板３４と、センサ基板３３の裏面側に取り付けられ、静電センサパターンＰに電気的に接続された静電センサＩＣ３５と、を備えている。
【００３９】
図６はセンサ基板３３の１つの静電センサパターンＰの部分を示した拡大断面図である。
図６（ａ）に示すように、センサ基板３３の表面３３ａにはドライブライン５１及びセンサーライン５２となる導電パターンが形成されており、センサ基板３３の表面３３ａ及び裏面３３ｂには、互いに電気的に接続されたグランド５３となる導電パターンが形成されており、矢印で電界の様子を電気力線として示しているが、ドライブライン５１とセンサーライン５２及びグランド５３との間に電界が生じている。
【００４０】
この状態のところに、図６（ｂ）に示すように、人の指Ｆが近づくと電気力線が指Ｆ側に引っ張られ、センサーライン５２への電気力線の本数が減少する。
この電気力線の減少、つまり、静電容量の変化を静電センサＩＣ３５が検知することで、スイッチの操作が行われたか否かを検出するようになっている。
【００４１】
静電容量センサの構成は、上記のような静電センサパターンＰを構成し、静電容量の変化を静電センサＩＣ３５に検出させる構成のものに限定される必要はないが、本実施形態の電気力線の変化を検知する構成の場合、センサ基板３３の表面３３ａから指Ｆが離れていても、指Ｆが近くにあるだけで検知することが可能である。
このため、センサ基板３３の表面３３ａ側に面発光体３１やトップパネル１０等が配置されている場合でも、指Ｆが近づいたことを良好に検知することが可能である。
【００４２】
（主制御部４０）
主制御部４０は、面照明付スイッチ１の全体的な制御を行うための部分であり、筐体２１の裏面側凹部２６に配置されることで、発光部材３０から離間して面発光体３１の裏面側に配置され、センサ基板３３と筐体２１に設けられた接続部２１ｃを介して電気的に接続された制御基板４１と、その制御基板４１に取り付けられた各種電子部品と、を備えている。
【００４３】
具体的には、主制御部４０は、制御基板４１に取り付けられた制御ＩＣ４２と、制御基板４１の発光部材３０側の面に取り付けられた無線アンテナ４４（図４参照）と、制御基板４１の発光部材３０側の面に取り付けられた人感センサ４３（図３参照）と、を備えている。
なお、図示は省略しているが、制御基板４１には、例えば、スイッチボックス内に収容された電源から供給される電力を制御するための電子部品等も配置される。
【００４４】
そして、図３に示すように、制御基板４１は、発光部材３０側から見た正面視で、一端側の一部が発光部材３０よりも外側に位置しており、人感センサ４３が、筐体２１の仕切部２１ｂに形成された第１開口部２３の真下に位置するように、正面視で発光部材３０よりも外側に位置する一端側の制御基板４１上に配置されている。
【００４５】
また、図４に示すように、無線アンテナ４４は、無線アンテナ４４のアンテナ部分４４ａが、筐体２１の仕切部２１ｂに形成された第２開口部２４の真下に位置するように、発光部材３０側から見た正面視で、発光部材３０よりも外側に位置する一端側の制御基板４１上の位置に配置されているとともに、無線アンテナ４４の一部が正面視で発光部材３０と重なる制御基板４１上の位置に配置されている。
【００４６】
無線アンテナ４４は、サイズが大きいものの、少なくともアンテナ部分４４ａが発光部材３０等に邪魔されない位置に位置していればよいため、本実施形態のように、そのアンテナ部分４４ａだけを発光部材３０と正面視で重ならない位置に位置させて、電波を送受信するのに問題ない部分については、発光部材３０と正面視で重なる位置に配置するようにすることで、本体部２０としての視点で見れば、制御基板４１のサイズを小さくすることができ、本体部２０の小型化が可能である。
【００４７】
また、発光部材３０としての視点で見れば、アンテナ部分４４ａ以外の部分であれば、無線アンテナ４４に正面視で重なるように拡張できるため、静電センサパターンＰを形成する領域を広く取ることが可能となる。
【００４８】
以上のような構成からなる面照明付スイッチ１は、タッチパネル機能を有する表示装置等と比べて、部品点数が少なくシンプルな構成であることから製造コストを抑制できる。
【００４９】
また、夜間等の周りが暗い時間帯等には、人感センサ４３でユーザが近づいたことを検知して、発光部材３０を発光させることができるため、タッチパネル機能を有する表示装置等と同様に、高い操作性を得ることができる。
【００５０】
さらに、各部材（面発光体３１、センサ基板３３及び制御基板４１等）の厚みが薄いことから、本体部２０の厚みを薄くすることが可能である。
このため、本体部２０を部屋の壁に形成された開口から出っ張らないように取り付けることができるので、見栄えのよいスイッチを実現することが可能である。
【００５１】
加えて、面発光体３１の厚みを薄くすることが可能となったことから、トップパネル１０にセンサ基板３３を近づけた配置とできるため、静電容量の変化が得られやすく、指Ｆが近づいたことを良好に検知することが可能である。
【００５２】
また、センサ基板３３を面発光体３１の裏面に張り付けたことにより、トップパネル１０とセンサ基板３３の距離を安定して保つことができるので、距離のばらつきに伴う静電容量のばらつきが抑制でき、正確な指Ｆの検知が可能である
【００５３】
なお、上記では、センサ基板３３の裏面側に静電センサＩＣ３５を取り付け、発光部材３０が静電センサＩＣ３５を備えている場合で説明を行ったが、図７に示す本体部２０の変形例のように、静電センサＩＣ３５が制御基板４１に設けられていてもよい。
【００５４】
また、人感センサ４３及び無線アンテナ４４以外の電子部品（例えば、制御ＩＣ４２等）は、制御基板４１の裏面側に設けるようにしてもよい。
ただし、制御基板４１に取り付けられる全ての電子部品を制御基板４１の表面側に設けるようにしたほうが、主制御部４０の厚さを薄くできるため、コンパクト化という視点に立てば、制御基板４１に取り付けられる全ての電子部品が制御基板４１の表面側に設けられていることが好ましい。
【００５５】
（第２実施形態）
次に、本発明に係る第２実施形態の静電センサ型の面照明付スイッチ１及び静電センサパターンＰを有する発光部材３０について説明する。
図８は第２実施形態の主にセンサ基板３３の表面３３ａ側を見た正面図であり、図９は第２実施形態の本体部２０の断面図である。
なお、図９は図４で示したのと同様の位置の断面図になっている。
【００５６】
第２実施形態は、発光部材３０の構成の一部が第１実施形態と異なっているだけであるため、以下では、この異なる点について主に説明し、同様である部分については説明を省略する場合がある。
【００５７】
第２実施形態では、センサ基板３３をフレキシブル基板として、第１実施形態におけるフレキシブル配線基板３４と同様の部分をセンサ基板３３に一体に形成したものとしている。
【００５８】
具体的には、図８に示すように、センサ基板３３に形成されている光源３１Ａに電力を供給する給電パターンに光源３１Ａが直接接続されるように、第１実施形態におけるフレキシブル配線基板３４に対応した折曲部Ｘをセンサ基板３３の他端側に設けるようにしている。
そして、折曲部Ｘに示す二点鎖線の位置で折り曲げを行うことで、図９に示すように、第１実施形態と同様の状態（図４参照）で、光源３１Ａとセンサ基板３３を電気的に接続することができる。
【００５９】
また、図８に示すように、センサ基板３３は、一方の長辺側に設けられ、外側に延在するように形成された静電センサＩＣ３５を配置する配置部Ｙを有しており、折り返しを行う前の状態で、配置部Ｙの表面側に静電センサＩＣ３５が取り付けられている。
【００６０】
そして、図８に示す二点鎖線の位置で配置部Ｙをセンサ基板３３の静電センサパターンＰが形成されている領域の裏面側に折り返す、つまり、配置部Ｙがセンサ基板３３の面発光体３１を向く面の反対側の位置に静電センサＩＣ３５が位置するように折り返されることで、外側に配置部Ｙが飛び出すことがないようにして、第１実施形態のセンサ基板３３の外形サイズとほぼ同じサイズとなるようにされている。
【００６１】
なお、本実施形態では、折り返す前の配置部Ｙの裏面３３ｂと静電センサパターンＰが形成されている領域の裏面３３ｂを両面テープ等で張り合わせることで、配置部Ｙを固定しているが、この固定は接着剤等を用いて行うようにしてもよい。
【００６２】
また、第１実施形態と同様に、本実施形態では、静電センサパターンＰが形成された部位が面発光体３１の裏面側に位置するようにセンサ基板３３が配置され、面発光体３１の裏面とセンサ基板３３の表面３３ａの間を両面テープで貼り合わすようにしているが、面発光体３１へのセンサ基板３３の貼り付けは、接着剤等を用いて行ってもよい。
【００６３】
さらに、静電センサパターンＰが形成された部位が面発光体３１の裏面側に位置するようになっていれば、センサ基板３３を面発光体３１に貼り付ける箇所自体は、面発光体３１の側面であってもよい。
【００６４】
このように、センサ基板３３に第１実施形態におけるフレキシブル配線基板３４と同様の部分を一体に形成するようにすることで、部品点数を更に減らし製造コストを抑制することが可能である。
【００６５】
また、フレキシブルでない基板が０．３ｍｍ程度の厚さを有しているのに対し、フレキシブル基板の厚さは０．０５ｍｍ程度と一桁程度厚みが薄いため、より一層、本体部２０の薄型化が行いやすい。
【００６６】
なお、第２実施形態においても、配置部Ｙを設けないようにして、図７に示したように、静電センサＩＣ３５が制御基板４１側に取り付けられるようにしてもよい。
【００６７】
以上、本発明を実施形態に基づき説明したが、本発明は実施形態に限定されるものではない。
例えば、上記実施形態では、発光部材３０が面照明付スイッチ１に用いられる場合について説明したが、発光部材３０の使用用途はスイッチに限られる必要はない。
【００６８】
また、上記実施形態では、部屋の壁に面照明付スイッチ１を設置する場合で説明したが、面照明付スイッチ１の設置場所は、部屋の壁に限定されるものではなく、面照明付スイッチ１は机等の家具類に設置されてもよく、更に別の箇所に設置されてもよい。
【００６９】
このように本発明は、具体的な実施形態に限定されるものではなく、その要旨を逸脱しない範囲で種々変更が可能であり、そのことは当業者にとって特許請求の範囲の記載から明らかである。
【符号の説明】
【００７０】
１…面照明付スイッチ、１０…トップパネル、３０…発光部材、３１…面発光体、３１Ａ…光源、３３…センサ基板、３４…フレキシブル配線基板、３５…静電センサＩＣ、４１…制御基板、４２…制御ＩＣ、４３…人感センサ、４４…無線アンテナ、４４ａ…アンテナ部分、Ｐ…静電センサパターン、Ｆ…指
【図１】
2018120838.tif 000003
【図２】
2018120838.tif 000004
【図３】
2018120838.tif 000005
【図４】
2018120838.tif 000006
【図５】
2018120838.tif 000007
【図６】
2018120838.tif 000008
【図７】
2018120838.tif 000009
【図８】
2018120838.tif 000010
【図９】
2018120838.tif 000011